(57)【要約】【課題】宅内の浴室以外の場所でも給湯装置の動作状態を知らせることができるインターホンシステムを提供する。【解決手段】浴室ＢＲ内のテレビ付きインターホン６はテレビ装置６ａとインターホン装置６ｂとで構成される。テレビ装置６ａは、給湯器８の動作を制御及び監視する給湯リモコンとしての機能を有し、給湯に関する情報信号をインターホン装置６ｂへ出力する。インターホン装置６ｂは、宅内に設置されるインターホンシステムの主親機３や副親機５や玄関等に設けられるテレビカメラ付きインターホン子機１との間で双方向の通話をすることができ、またテレビ装置６ａから給湯に関する情報信号を受け取ると、受け取った情報信号の信号形式を変換し、信号線４を介して主親機３に送出するようになっており、主親機３や副親機５の表示装置３７，６０に給湯に関する情報を表示させることができる。【選択図】図１
2004221626.tif 000002
【特許請求の範囲】
【請求項１】
宅外に設置されたインターホン子機と、宅内に設置されたインターホン親機とで構成されるインターホンシステムであって、
給湯装置の動作を監視して給湯に関する情報信号を出力する給湯信号出力部と、
前記インターホン親機や前記インターホン子機との間で通話路が確立されたときに通話を可能とする通話手段、及び、給湯信号出力部から出力された情報信号を受け取り、該情報信号をインターホン親機に送信する給湯情報出力手段を少なくとも備え、浴室内に設置されるインターホン装置とを設けたことを特徴とするインターホンシステム。
【発明の詳細な説明】
【０００１】
【発明の属する技術分野】
本発明は、インターホンシステムに関するものである。
【０００２】
【従来の技術】
従来、浴室に設置されるテレビ装置が、給湯装置（給湯器）のリモコン装置と連設され、テレビ装置にリモコン装置の動作に関する情報を表示させたものが提供されている（例えば特許文献１）。
【０００３】
【特許文献１】
特開平１０−５４６０９号公報（段落番号［００４５］、及び、第２図）
【０００４】
【発明が解決しようとする課題】
上述の従来例では、風呂の焚きあがりなどの給湯に関する情報をテレビ装置に表示するようになっているが、宅内に設置されて、宅外に設置されたインターホン子機との間で通話を行うインターホンシステムのインターホン親機に給湯装置の動作に関する情報を表示させるようにはなっていないため、家人が風呂場以外の場所にいる場合には給湯装置の動作状態がわからず、風呂場までいって動作状態を確認しなければならないという問題があった。
【０００５】
本発明は、上述の問題点に鑑みて為されたもので、宅内の浴室以外の場所でも給湯装置の動作状態を知らせることができるインターホンシステムを提供することにある。
【０００６】
【課題を解決するための手段】
上記目的を達成するために、請求項１の発明では、宅外に設置されたインターホン子機と、宅内に設置されたインターホン親機とで構成されるインターホンシステムであって、給湯装置の動作を監視して給湯に関する情報信号を出力する給湯信号出力部と、前記インターホン親機や前記インターホン子機との間で通話路が確立されたときに通話を可能とする通話手段、及び、給湯信号出力部から出力された情報信号を受け取り、該情報信号をインターホン親機に送信する給湯情報出力手段を少なくとも備え、浴室内に設置されるインターホン装置とを設けたことを特徴とする。
【０００７】
【発明の実施の形態】
以下、本発明を実施形態により説明する。
（実施形態１）
図１は本実施形態を用いる全体システム構成を示しており、この図示するシステムは、玄関等の宅外に設けられるテレビカメラ付きのインターホン子機１と、宅内に設けられ、インターホン子機１と信号線２を介して接続される主親機３と、この主親機３と同様に宅内に設けられ主親機３に信号線４を介して接続される１乃至複数の副親機５とを基本構成としたインターホンシステムに、浴室ＢＲに設置されるテレビ付きインターホン６が付設される形で構成される。ここに、主親機３と副親機５とでインターホン子機１との間でインターホン通話を行うインターホン親機が構成される。
【０００８】
テレビ付きインターホン６は、テレビ装置６ａと、インターホン装置６ｂとを合体することで構成されるもので、インターホン装置６ｂが前記インターホンシステムに対して信号線４を介して接続され、また後述するテレビ装置６ａの給湯器制御回路１０３（図４参照）により制御される給湯装置たる給湯器８が信号線９を介して接続されている。
【０００９】
次に、テレビ付きインターホン６が付設されるインターホンシステムについて説明する。
【００１０】
まず、インターホンシステムの中核を為す主親機３は図２に示すようにＴＶカメラ付きのインターホン子機１やＴＶカメラ無しのインターホン子機（図示せず）、付設している人感センサ等に連動して起動するセンサカメラ（図示せず）、更に玄関ポーチなどに設けられる監視カメラ等を接続する接続部２０、浴室ＢＲ等に設けられる緊急呼出釦７やコール用釦１０等の呼出手段、火災センサ、ガスセンサ、防犯センサ（防犯スイッチ）等の防災／防犯センサ１１（図１参照）を接続する接続部２１、ＪＥＭ−Ａ規格の空調機器や電気錠を接続する接続部２２、更に警報報知用の増設ベル、増設スピーカ等を接続する接続部２３、宅内に必要に応じて設けられる副親機５…や浴室ＢＲのインターホン装置６ｂを信号線４を介して接続する接続部２４等を備えている。
【００１１】
主親機３は上述のように各種接続部２０〜２４等を備えたものであるが、その内部には次の回路要素を備えている。
【００１２】
つまり主親機３の全体の信号処理・制御を担うＣＰＵ部３０と、前記接続部２０の何れかに接続された信号線２を通じてインターホン子機１から送られてくる呼出信号を検出してその検出信号をＣＰＵ部３０に出力するドアホン呼出検出回路３１と、接続部２１に接続される防犯センサ、ＣＯセンサ、火災センサ等の各種センサ１１やコール釦や緊急呼出釦７等のスイッチ類の信号をＣＰＵ部３０との間で内部バス３２を介して通信を行うためのＩ／Ｏポート３３と、前記各接続部２０を通じて取り込まれる直接接続のテレビカメラ付きのインターホン子機１から周波数多重化によって送られてくる音声信号及び映像信号、或いは監視カメラ（図示せず）やセンサカメラ（図示せず）の映像信号をＣＰＵ部３０の制御の下で選択するセレクタ回路３４と、セレクタ回路３４を通じて取り込まれたＦＭ変調されている映像信号を復調するビデオ復調回路３５と、復調されたアナログの映像信号をデジタル画像データにコンバートするビデオコンバータ３６と、ビデオコンバータ３６からの画像データの所定位置に付加して表示したり或いは単独で表示するためのグラフィックデータ（画像データ）を生成し、ビデオコンバータ３６からの画像データと合成したり、ビデオコンバータ３６からの画像データの画質補正やエフェクト処理を行う等して、液晶ディスプレイからなるモニタ用表示装置３７及び副親機５…に設けてある液晶ディスプレイからなるモニタ用表示装置６０、更には浴室ＢＲ内のテレビ装置６ａの表示装置１００に映し出すための画像データを生成するグラフィックス生成回路３９と、グラフィックス生成回路３９から出力される画像データをアナログの映像信号にコンバートするビデオコンバータ４０と、このビデオコンバータ４０から出力される映像信号をＦＭ変調して送出するビデオ変調回路４１と、前記セレクタ回路３４を介して取り込んだインターホン子機１からの音声信号を取り込んで、副親機５やインターホン装置６ｂへ送出する処理及び副親機５やインターホン装置６ｂ側からの音声信号を取り込んでインターホン子機１へ送出する処理等、インターホン子機１と副親機５やインターホン装置６ｂとの間の通話制御をＣＰＵ部３０の制御の下で行う通話処理回路４２と、副親機５やインターホン装置６ｂから周波数多重によって送出されてくるＦＳＫ信号により構成された制御信号から操作情報たる制御コマンドを抽出してＣＰＵ部３０へ渡すとともにＣＰＵ部３０で生成された制御コマンドを副親機５やインターホン装置６ｂ側へ制御コマンド信号として送出するとともに信号線４を介して副親機やインターホン装置６ｂ側から送られてくる制御コマンドを受信する制御コマンドＩ／Ｆ回路４３と、ビデオ変調回路４１からの映像信号とインターホン子機１の音声信号とを接続部２４を通じて信号線４へ送出させ、また副親機５やインターホン装置６ｂ側からの音声信号を抽出するための結合部２７を備えている。
【００１３】
尚、グラフィックス生成回路３９の機能としては、例えば、画像へのタッチスイッチの付加表示、インターホン子機１のＴＶカメラや監視カメラの撮像映像の合成表示や、スーパーインポーズ表示、各種のセンサ１１やスイッチ類などの状態付加表示、後述する録画／録音情報の付加表示、画質補正や画像エフェクト処理など、様々な画像加工態様が含まれる。
【００１４】
ここでビデオ復調回路３５、ビデオコンバータ３６、グラフィックス生成回路３９、ビデオコンバータ４０、ビデオ変調回路４１及びビデオＲＡＭ４４により表示処理手段（画像処理手段）を構成する。
【００１５】
そして更に録画、録音や各種データの記憶手段としてフラッシュＲＯＭ４５、ワークエリアやデータの一時格納のためのＲＡＭ４６を備えている。更に接続部２２に接続される日本電機工業会の規格（ＪＥＭ−Ａ）の電気錠や空調機器に対して制御信号の送信或いは動作モニタ信号の受信を行うなうＩ／Ｆ回路２８と、内部バス３２を通じてＣＰＵ部３０から受け取った制御信号をＩ／Ｆ回路２８に送るとともにＩ／Ｆ回路２８から受け取る動作モニタ信号を内部バス３２を通じてＣＰＵ部３０に送るためのＩ／Ｏポート２９を備えている。
【００１６】
またインターホン子機１との通話や副親機５やインターホン装置６ｂとの通話が可能なようにハンズフリーの通話制御を行う音声処理回路４９と、音声入出力手段を構成するマイクＭＩＣ、スピーカＳＰ、アンプ５３ａ、５３ｂを備えている。またこの主親機３で各種操作が可能なように表示装置３７の表示画面上にタッチパネル５０を設けるとともに操作座標情報の取り込みなどを行うタッチパネルコントローラ５１を設けている。更にタッチパネル５０以外に各種操作釦と表示素子とを備えた操作表示部５２が設けられ、その操作情報をＣＰＵ部３０が取り込むようになっている。操作表示部５２に設けられる操作釦としては、インターホン子機１との間の通話を行うための通話釦、モニタ画面に基本となるメニュー画面を呼出すためのメニュー釦、室内呼出のための室内呼出釦、各所に設置されている監視カメラ等の映像のモニタを行うためのモニタ釦、留守中の処理を行うための留守釦や了解釦、更に各種表示ランプが設けられている。
【００１７】
また外部のＲＳ４８５用のバス１４が接続される接続部２５と内部バス３２との間にはＲＳ４８５用のインターフェース部５４を設け、外部のバス１４に接続されている各種端末とＣＰＵ部３０との間で制御・監視の情報の授受がＲＳ４８５を用いて行えるようになっている。
【００１８】
一方副親機５は図３に示すように主親機３からの信号線４を接続する接続部６１を備え、内部回路としては副親機５の制御と、信号処理を行うためのＣＰＵ部６２と、主親機３から送られてくるＦＭ変調された映像信号を復調するためのビデオ復調回路６３と、この復調された映像を映すための液晶ディスプレイからなるモニタ用表示装置６０と、主親機３側から送られくる呼出信号や報知音を再生してスピーカＳＰより報知し、またマイクＭＩＣとスピーカＳＰとを用いて主親機３を介してインターホン子機１や主親機３や他の副親機５やインターホン装置６ｂとの間でハンズフリーによる通話を可能とする音声処理回路６４と、前記主親機３の操作表示部５２と同様に通話釦、メニュー釦、室内呼出釦、モニタ釦、留守釦及び了解釦を備えた操作部６５と、表示装置６０の画面に設けたタッチパネル６６と、主親機３を通じて送られてくる操作部位を示す映像に対応したタッチ操作があると、タッチパネル６６上での操作位置を示す座標情報を操作情報としてＣＰＵ部６２に受け渡すタッチパネルコントローラ６７と、前記操作部６５に備わった前記通話釦を含む手動操作用の操作釦の操作情報を取り込んでＣＰＵ部６２へ受け渡すためのスイッチ入力部６８と、タッチパネル６６の操作に対応してタッチパネルコントローラ６７から出力される座標情報及びスイッチ入力部６８の操作情報に基づいてＣＰＵ部６２により生成出力される制御コマンドをＦＳＫ信号形式に変換して接続部６１を介して送出するとともに主親機３からの制御コマンドを抽出するための制御コマンドＩ／Ｆ回路６９と、操作部６５での操作状態やシステムの状態を表示する表示ランプを設けた表示部７０をＣＰＵ部６２からの制御信号により駆動するための表示駆動部７１とを備えている。尚７２ａはマイクＭＩＣから入力された送話用の音声信号を増幅するためのアンプ、７２ｂは音声処理回路６４から出力される受話用の音声信号を増幅するためのアンプである。また副親機５にも増設スピーカを接続するための手段（図示せず）が備わっている。
【００１９】
一方、テレビ付きインターホン６は、それぞれ独立した筐体２００，２０１に回路を組み込んでユニット化されたテレビ装置６ａとインターホン装置６ｂとを合体して構成される（図４及び図５参照）。
【００２０】
ここでテレビ装置６ａは、液晶ディスプレイからなる表示装置１００と、テレビ装置６ａの制御と信号処理を行うＣＰＵ部１０１と、アンテナＡＴを通じてテレビ放送を受信し、そのテレビ放送の映像を映像信号として出力するとともに、テレビ放送の音声を音声信号として出力するテレビ受信回路１０２と、ＣＰＵ部１０１からの制御コマンドに対応した給湯器８の制御信号を生成して給湯器８へ送って給湯器８を制御するとともに給湯器８からの湯はり関連情報信号を受けとってＣＰＵ部１０１へ送る給湯器制御回路１０３と、テレビ受信回路１０２からの音声信号を増幅再生してスピーカ１０４から音声を出力させる音声回路１０５と、前記テレビ受信回路１０２からの放送映像信号とインターホン装置６ｂから出力され映像入力端子９２から取り込まれる外部映像信号とを入力し、テレビ受信回路１０２から出力される放送映像信号のみの入力であれば該放送映像信号を出力し、外部映像信号が入力した場合には先にテレビ受信回路１０２からの放送映像信号が入力していても切り替えて外部映像信号を優先的に出力させる映像入力回路１０６と、この映像入力回路１０６とともに映像入出力手段を構成し、映像入力回路１０６から出力される放送映像信号又は外部映像信号を、表示装置１００で映像として表示させる信号に変換する映像変換出力回路１０７と、操作部１０８と、インターホン装置６ｂとの間で信号入出力端子９３を介して制御データの授受を行うための通信インターフェース部１０９とで構成される。
【００２１】
ここで操作部１０８は、図５に示すよう筐体２００の正面に露出された給湯器８の運転の入り切り（オン／オフ）操作を行うための操作釦１１０ａ，追い焚きを指示するための操作釦１１０ｂ，給湯器８の自動運転を指示する操作釦１１０ｃ，テレビ放送のチャンネル切り替え釦１１０ｄ，テレビ放送の音量調整釦１１０ｅ，給湯器８の給湯温度、表示装置１００の明るさ等の設定のための操作釦１１０ｆからなるスイッチ部１１０と、このスイッチ部１１０の操作情報をＣＰＵ部１０１に送るためのスイッチ入力部１１１とから構成され、温度設定時の温度やチャンネル切り替え時のチャンネル表示、音量調整時の音量等の表示のための画像データはＣＰＵ部１０１で生成されて映像入力回路１０６及び映像変換出力回路１０７を通じて表示装置１００に送られることで表示装置１００で表示されるようになっている。
【００２２】
インターホン装置６ｂは、図４に示すように主親機３からの信号線４を副親機５と同様に接続する接続部７３を備え、内部回路としてはインターホン装置６ｂの制御と、信号処理を行うためのＣＰＵ部７４と、主親機３から送られてくるＦＭ変調された映像信号を復調するためのビデオ復調機能と復調した映像信号を映像出力端子９０から外部映像信号としてテレビ装置６ａへ出力させる機能とを備えた映像信号変換回路７５と、主親機３側から送られくる呼出信号や報知音を再生してスピーカ７６ａより報知し、またマイク７６ｂとスピーカ７６ａとを用いて主親機３を介してインターホン子機１や主親機３或いは副親機５の間でハンズフリーによる通話を可能とする音声処理機能とアンプ機能とを備えた通話手段としてのインターホン回路７７と、操作部７８と、操作部７８の操作情報に基づいてＣＰＵ部７４により生成出力される制御コマンドをＦＳＫ信号形式に変換して接続部７３を介して信号線４より送出するとともに主親機３から信号線４を介して送られてくるＦＳＫ信号形式の制御コマンドを抽出するための制御コマンドＩ／Ｆ回路７９と、主親機３や副親機５の操作により主親機３から送られてくる前記制御コマンド中給湯器８に対する制御コマンドの場合にＣＰＵ部７４から変換出力される所定の制御データをテレビ装置６ａ側に信号入出力端子８０から送り、またテレビ装置６ａからの給湯に関する情報信号を受け取るための通信インターフェース部８１と、表示部８２とで構成される。
【００２３】
操作部７８は、図５に示すように筐体２０１の前面に露出させた主親機３及び副親機５をそれぞれ呼び出すための室内呼び出し釦８３ａ，８３ｂ、更にモニタ釦８３ｃ，電気錠操作釦８３ｄ、更に通話釦８３ｅ，映像補正のための操作釦８３ｆからなるスイッチ部８３と、スイッチ部８３の操作信号を取り込むスイッチ入力部８４とで構成される。
【００２４】
表示部８２は、筐体２０１の前面に視認可能に設けられた通話中を発光表示するＬＥＤのような発光素子８５ａ、使用中を発光表示するＬＥＤのような発光素子８５ｂ、電気錠の操作可能表示のＬＥＤのような発光素子８５ｃからなる発光表示部８５と、発光素子８５ａ〜８５ｃを駆動する表示駆動部８６とで構成される。
【００２５】
ここでテレビ装置６ａ及びインターホン装置６ｂの動作電源は図１に示す外部電源装置３００から供給されるようになっており、外部電源装置３００はそれぞれの装置６ａ，６ｂに適した直流電圧に交流電源ＡＣの電圧を変換し、テレビ装置６ａには電源線３０１を介して供給する。またインターホン装置６ｂには電源装置３００を介して供給するようになっている。尚主親機３からの信号線４は一旦外部電源装置３００に入線した後、インターホン装置６ｂへ電源線３０２とともに出線し、コネクタ３０３により結線されるようになっている。また電源線３０１はテレビ装置６ａに対してコネクタ３０４により結線されるようになっている。
【００２６】
またインターホン装置６ｂの映像出力端子９０から出力される外部映像信号は同軸ケーブル９５によりテレビ装置６ａ側の映像入力端子９２に、また信号入出力端子８０からの制御データは信号線９４を介してテレビ装置６ａの信号入出力端子９３に接続されるようになっており、これら同軸ケーブル９５及び信号線９４はコネクタ９６により結線されている。
【００２７】
また、テレビ装置６ａの給湯器制御回路１０３と給湯器８の回路とは信号線９を介して接続されており、この信号線９はコネクタ９８により結線されている。
【００２８】
尚、浴室ＢＲには緊急呼出釦７が設けられ信号線８７により主親機３の接続部２１に呼出手段の一つとして接続される。
【００２９】
而して本発明のテレビ付きインターホンは、常時電源が供給されて待機状態にあり、この待機状態で電源スイッチ１１２をオン操作することでテレビ受信回路１０２によるテレビ放送の受信ができることになる。この受信時においては、チャンネル切り替え釦１１０ｄ，テレビ放送の音量調整釦１１０ｅを操作することで、ＣＰＵ部１０１の制御の下で所望のチャンネルの放送映像を表示装置１００で見ることができるとともに、スピーカ１０４より所望の音量の音声で放送音声を聞くことができる。
【００３０】
一方、操作部１０８の操作釦１１０ａ，１１０ｂ，１１０ｃにより、給湯器８の運転の入／切、或いは追い炊き、更に自動運転の操作が行える。つまり給湯リモコン装置としても使用することができ、この場合操作部１０８の操作情報がＣＰＵ部１０１で取り込まれ、給湯器制御回路１０３を通じて給湯器８へ送られるようになっている。
【００３１】
またこの場合、給湯器８からの湯はり完了等の情報信号は給湯器制御回路１０３を通じてＣＰＵ部１０１に取り込まれ、更に通信インターフェース部１０９を通じて制御データとしてインターホン装置６ｂへ送られるようになっている。ここに、給湯器制御回路１０３とＣＰＵ部１０１とで給湯に関する情報信号を出力する給湯信号出力部が構成される。
【００３２】
尚、温度設定及び前記の表示装置１００の調整は十字型の操作釦１１０ｆで操作することができ。また温度設定時の温度やチャンネル切り替え時のチャンネル表示、音量調整時の音量を示すバー等が表示装置１００で表示されるようになっている。
【００３３】
さて、テレビ付きインターホン６の動作中に、インターホン子機１から呼出し操作があってインターホン子機１からの呼出信号を受けた主親機３のＣＰＵ部３０では、まず主親機３、副親機５及び浴室ＢＲのインターホン装置６ｂで夫々呼出音を報知させるための処理を行う。
【００３４】
そしてテレビカメラで捉えた来訪者の映像をインターホンシステムの主親機３の表示装置３７及び副親機５の表示装置６０で映し出させるとともに、通話時に対応した機能、例えば当該位置の電気錠の操作釦、映像通話の操作釦、録画録音の操作釦、更に来訪者に引き上げてもらうための操作釦のアイコン及びこれらアイコンを非表示とするための操作釦を画面下に映し出し、更に操作釦に対応させて電気錠の状態を示すアイコンを映し出す。また対応する場所を示す文字（この場合玄関１）と「呼出中」の文字とを表示するとともに待機状態へ戻るための終了釦を表示させる。
【００３５】
この表示装置３７，６０の画面で映し出される映像は、主親機３のグラフィックス生成回路３９において生成されるアイコンや文字のグラフィックデータ（画像データ）と、ＴＶカメラの画像データとを合成した画像データによるものである。
【００３６】
一方信号線４を通じて送られる映像信号はインターホン装置６ｂに取り込まれ、映像信号変換回路７５を通じて外部映像信号としてテレビ装置６ａに送られる。この外部映像信号を取り込んだ映像入力回路１０６は受信中の放送映像信号から外部映像信号に切り替えて、映像変換出力回路１０７へ送り、これによりテレビ装置６ａの表示装置１００には放送映像に替わり来客者の映像が映し出されることになる。またテレビ放送を受信していない待機中にあっては、上記の呼出報知と同時に自動的にテレビ装置６ａの表示装置１００が立ち上がって来客者の映像が映し出されることになる。
【００３７】
さて来訪者とユーザ（家人）が通話を行う場合には、主親機３又は副親機５の通話釦或いはインターホン装置６ｂの通話釦８３ｅを押し操作すれば良く、この操作があると主親機３のＣＰＵ部３０の制御の下で主親機３又は副親機５或いはインターホン装置６ｂとインターホン子機１との間で通話処理回路４２を介して通話路が確立され、来訪者と家人との間の通話可能となる。
【００３８】
ここでテレビカメラ付きインターホン子機１と主親機３又は副親機５との間の通話の場合には表示画面上の映像通話の操作釦をタッチ操作すると、映像通話関係の詳細設定の表示画面に切り替わり、詳細設定ができる。
【００３９】
ところでインターホン子機１からの呼出に対して一定時間経過しても主親機３或いは副親機５又はインターホン装置６ｂの何れにおいても通話釦の操作が行われ無かった場合には待機状態に戻る処理が主親機３のＣＰＵ部３０により行われるようになっている。
【００４０】
さて、この来訪者との通話は一定時間が経過するか、通話中の主親機３又は副親機５で終了釦の操作が行われると、或いはインターホン装置６ｂの通話釦８３ａの押し操作を止めると主親機３のＣＰＵ部３０の制御の下で待機状態に戻る。
【００４１】
尚、テレビ放送の観賞中に来客者があって、表示装置１００の映像が来客者の映像に切り替わった場合には、ＣＰＵ部１０１の制御の下で通話終了とともに、自動的に表示装置１００の映像がテレビ放送の映像に切り替わる。また待機状態において、来客者の映像が表示装置１００に映し出されているときに、テレビ装置６ａの電源スイッチ１１２を押し操作すれば、テレビ放送の画面に切り替えることができる。つまりこの場合ＣＰＵ部１０１の制御の下で映像入力回路１０６は映像変換出力回路１０７へ送る映像信号を外部映像信号から放送映像信号に切り替える。またモニタ釦８３ｃは入浴中にインターホン子機１のテレビカメラで玄関等の様子を見たい場合に押し操作すれば良く、表示装置１００でインターホン子機１のテレビカメラが捉えた映像をモニタすることができる。
【００４２】
ところで、前記呼出通話はインターホン子機１と主親機３又は副親機５或いはインターホン装置６ｂとの間に関するものであったが、主親機３と副親機５又は主親機３或いは副親機５とインターホン装置６ｂとの間の室内呼出を行う場合には、室内呼出を行う側の家人が主親機３或いは副親機５の表示画面上の室内呼出釦を、又インターホン装置６ｂの場合には室内呼び出し釦８３ａ，８３ｂの内、呼び出したい側を操作する。この操作により主親機３のＣＰＵ部３０の制御の下で、通話先に対して呼出信号が送られて呼出報知が為される。
【００４３】
そして着呼側で通話釦が操作されて、主親機３のＣＰＵ部３０の制御の下で、発呼側と着呼側との通話路が確立されて室内通話ができることになる。
【００４４】
次に警報関連の動作や本システムの特徴である給湯器８の給湯状況の表示について説明する。
【００４５】
まず留守中や在宅中に防犯、防災の警戒を行いたい場合には、例えば主親機３（或いは副親機５）の留守釦等によって待機状態から警戒セットモードの動作状態に変わり、防犯センサ…、火災センサ、ガスセンサによる警戒状態にセットされる。
【００４６】
さて警戒セットの有効中に防犯センサ…、火災センサ、ガスセンサなどが作動すると、警報を主親機３、副親機５から警報を発する。また警報を示すピクトサインの画像データが主親機３のグラフィックス生成回路３９で生成され、その画像データによる映像信号が信号線４上にＦＭ変調されて送られることになる。そして、主親機３の表示装置３７及び副親機５の表示装置６０でこれらピクトサインが表示される。
【００４７】
また入浴中の家人には前記警報音が聞こえないことがあるが、テレビ付きインターホン６が動作中であれば、ピクトサインのＦＭ変調された映像信号がインターホン装置６ｂの映像信号変換回路７５で復調され、この復調された映像信号が外部映像信号としてテレビ装置６ａの映像入力回路１０６に取り込まれ、これにより放送映像信号から外部映像信号に切り替わって映像変換出力回路１０７に入力し、これによりテレビ装置６ａの表示装置１００に警報を示すピクトサインが表示される。
【００４８】
図６（ａ）は非常釦が操作されたとき、同図（ｂ）は火災センサが動作した時の火災警報を、同図（ｃ）はガスセンサがガス漏れを検出したときのガス漏れ警報、同図（ｄ）はＣＯセンサがＣＯの増加を検出した時の換気警報、同図（ｅ）は防犯センサが侵入者を検出したときの防犯警報を、また同図（ｆ）はコール釦が押された場合をそれぞれ示すピクトサインである。更に入浴者が浴室ＢＲ内の緊急呼出釦７を操作した場合には図６（ｇ）に示すように浴室異常を示すピクトサインが表示され、室内の主親機３へ操作信号が送られていることが入浴者にも確認できるようにもなっている。尚、ピクトサインによる警報表示を行わず、警報音のみで警報を発するようにしても良いことは勿論である。
【００４９】
ところで、本実施形態では宅内の浴室ＢＲ以外の場所に設置された主親機３又は副親機５側で、給湯器８の運転のオン／オフ操作と、湯はり完了の表示ができるようなっている。図７は主親機３の表示装置３７での操作画面の一例を示しており、この操作画面では玄関、勝手口、門、裏門の電気錠の施錠／解錠の操作釦Ｓ１〜Ｓ４や、エアコンＳ５，Ｓ６等のオン／オフの操作釦とともに、給湯器８の運転のオン／オフの操作釦Ｓ７が表示され、この画面上で操作釦Ｓ７をタッチ操作することで給湯器８のオン／オフが行える。つまりこの操作情報は主親機３のＣＰＵ部３０の制御の下で制御コマンドに変換され、制御コマンドＩ／Ｆ回路４３を通じて信号線４上に送出される。そして、この制御コマンドはインターホン装置６ｂの制御コマンドＩ／Ｆ回路７９を通じてＣＰＵ部７４に取り込まれ、給湯器８の制御データとして通信インターフェース部８１を通じてテレビ装置６ａに送り出される。そして制御データはテレビ装置６ａの通信インターフェース部１０９を介してＣＰＵ部１０１に取り込まれ、ＣＰＵ部１０１は制御データに基づいて給湯器８のオン／オフの制御信号を給湯器制御回路１０３へ送り、給湯器制御回路１０３はこのオン／オフ信号を受けて給湯器８に送って給湯器８をオン／オフ制御する。尚、副親機５の表示装置６０においても図７に示す操作画面を表示させることができ、同様に給湯器８のオン／オフ操作ができる。
【００５０】
一方、給湯器８での給湯状況を示す情報信号はテレビ装置６ａの給湯器制御回路１０３を介してＣＰＵ部１０１に取り込まれ、ＣＰＵ部１０１はこの信号に基づいて湯はり状況などの給湯情報を示す制御データを通信インターフェース部１０９を介してインターホン装置６ｂへ送出する。この制御データは通信インターフェース部８１を通じて給湯情報出力手段としてのＣＰＵ部７４に取り込まれ、ＣＰＵ部７４はこの制御データに基づいた制御コマンドを生成し、制御コマンドＩ／Ｆ回路７９を通じて信号線４上に送出する。この制御コマンドは主親機３の制御コマンドＩ／Ｆ回路４３を通じてＣＰＵ部３０に取り込まれる。主親機３のＣＰＵ部３０は制御コマンドを解読して、その内容に基づいて、例えば湯はり５分前や完了を示すピクトサインの画像データをグラフィックス生成回路３９で生成させ、その画像データによる映像信号をＦＭ変調してて信号線４上に送出する。
【００５１】
そして、主親機３では表示装置３７で、また副親機５では表示装置６０においてこれら湯はり状況などの給湯情報をピクトサインで表示する。これにより、宅内の浴室以外の場所において家人が湯はり状況などの給湯情報を確認することができることになる。尚、この湯はり状況を音声で報知するようにしても勿論良い。
【００５２】
（実施形態２）
本発明の実施形態２を図８〜図１０に基づいて説明する。上述の実施形態１では浴室に設置されるインターホン装置６ｂとテレビ装置６ａとを組み合わせた例に基づいて説明を行ったが、本実施形態では浴室に設置されるインターホン装置６ｂ’と、給湯器８の動作の制御及び監視を行う給湯リモコン装置６ｃとを組み合わせた例について説明する。尚、基本的な構成は実施形態１と同様であるので、同様の構成要素には同一の符号を付してその説明は省略する。
【００５３】
インターホン装置６ｂ’は、実施形態１で説明したインターホン装置６ｂから映像関係の回路部分を取り除いたものであり、図９に示すように主親機３からの信号線４を副親機５と同様に接続する接続部７３を備え、内部回路としてはインターホン装置６ｂ’の制御と、信号処理を行うためのＣＰＵ部７４と、主親機３側から送られくる呼出信号や報知音を再生してスピーカ７６ａより報知し、またマイク７６ｂとスピーカ７６ａとを用いて主親機３を介してインターホン子機１や主親機３或いは副親機５の間でハンズフリーによる通話を可能とする音声処理機能とアンプ機能とを備えたインターホン回路７７と、操作部７８と、操作部７８の操作情報に基づいてＣＰＵ部７４により生成出力される制御コマンドをＦＳＫ信号形式に変換して接続部７３を介して信号線４より送出するとともに主親機３から信号線４を介して送られてくるＦＳＫ信号形式の制御コマンドを抽出するための制御コマンドＩ／Ｆ回路７９と、主親機３や副親機５の操作により主親機３から送られてくる前記制御コマンド中給湯器８に対する制御コマンドの場合にＣＰＵ部７４から変換出力される所定の制御データを後述の給湯リモコン装置６ｃ側に信号入出力端子８０から送り、また給湯リモコン装置６ｃから給湯に関する制御データを受け取るための通信インターフェース部８１と、表示部８２とで構成される。そして、インターホン装置６ｂ’は独立した筐体２０１の内部に上述の回路を組み込んで構成されている（図９参照）。
【００５４】
操作部７８は、筐体２０１の前面に露出させた主親機３及び副親機５をそれぞれ呼び出すための室内呼び出し釦８３ａ，８３ｂ、電気錠操作釦８３ｄ、更に通話釦８３ｅからなるスイッチ部８３と、スイッチ部８３の操作信号を取り込むスイッチ入力部８４とで構成される。また表示部８２は、筐体２０１の前面に視認可能に設けられた通話中を発光表示するＬＥＤのような発光素子８５ａ、使用中を発光表示するＬＥＤのような発光素子８５ｂ、電気錠の操作可能表示のＬＥＤのような発光素子８５ｃからなる発光表示部８５と、発光素子８５ａ〜８５ｃを駆動する表示駆動部８６とで構成される。図９はインターホン装置６ｂ’の正面図であり、インターホン装置６ｂ’の筐体２０１前面には各種の釦８３ａ，８３ｂ，８３ｄと、発光素子８５ａ〜８５ｃとが露設されている。
【００５５】
一方、給湯リモコン装置６ｃは、給湯リモコン装置６ｃの制御と信号処理を行うＣＰＵ部１０１と、ＣＰＵ部１０１からの制御コマンドに対応した給湯器８の制御信号を生成して給湯器８へ送って給湯器８を制御するとともに、給湯器８から給湯に関する情報信号を受けとってＣＰＵ部１０１へ送る給湯器制御回路１０３と、操作部１０８と、インターホン装置６ｂ’との間で信号入出力端子９３を介して制御データの授受を行うための通信インターフェース部１０９と、表示部１１３とで構成される。
【００５６】
ここで操作部１０８は、筐体２０２の正面に露出された給湯器８の運転の入り切り（オン／オフ）操作を行うための操作釦、追い焚きを指示（オン／オフ）するための操作釦、給湯器８の自動運転を指示（オン／オフ）する操作釦、給湯器８の給湯温度等の設定のための操作釦からなるスイッチ部１１０と、このスイッチ部１１０の操作情報をＣＰＵ部１０１に送るためのスイッチ入力部１１１とから構成され、温度設定時の設定温度や運転状態などが、筐体２０２の正面に露出されたＬＥＤや液晶ディスプレイからなる表示部１１３で表示されるようになっている。
【００５７】
図１０は本実施形態を用いる全体システム構成を示しており、本実施形態のインターホン装置６ｂ’は信号線４を介して主親機３に接続されている。そして、インターホン装置６ｂ’の動作電源は図１０に示す外部電源装置３００から供給されるようになっており、外部電源装置３００はインターホン装置６ｂ’に適した直流電圧に交流電源ＡＣの電圧を変換して、インターホン装置６ｂ’に電源線３０２を介して供給するようになっている。またインターホン装置６ｂ’には電源装置３００を介して供給するようになっている。尚、主親機３からの信号線４は一旦外部電源装置３００に入線した後、インターホン装置６ｂ’へ電源線３０２とともに出線し、コネクタ３０３により結線されるようになっている。
【００５８】
また、給湯リモコン装置６ｃの給湯器制御回路１０３と給湯器８の回路とは信号線９を介して接続されており、この信号線９はコネクタ９８により結線されている。
【００５９】
本実施形態のインターホン装置６ｂ’の動作は、実施形態１と略同様であり、来訪者とユーザ（家人）が通話を行う場合には、主親機３又は副親機５の通話釦或いはインターホン装置６ｂ’の通話釦を押し操作すれば良く、この操作があると主親機３のＣＰＵ部３０の制御の下で主親機３又は副親機５或いはインターホン装置６ｂ’とインターホン子機１との間で通話処理回路４２を介して通話路が確立され、来訪者と家人との間の通話可能となる。この来訪者との通話は一定時間が経過するか、通話中の主親機３又は副親機５で終了釦の操作が行われると、或いはインターホン装置６ｂ’の通話釦の押し操作を止めると主親機３のＣＰＵ部３０の制御の下で待機状態に戻る。尚、主親機３と副親機５、又は、主親機３或いは副親機５とインターホン装置６ｂ’との間でも実施形態１と同様の手順で室内通話が行えるようになっている。
【００６０】
また、給湯リモコン装置６ｃの操作釦により、給湯器８の運転の入／切、或いは追い炊き、更に自動運転の操作が行える。つまり、給湯リモコン装置６ｃの操作部による操作情報はＣＰＵ部１０１で取り込まれ、給湯器制御回路１０３を通じて給湯器８へ送られるようになっている。
【００６１】
またこの場合、給湯器８からの湯はり完了等の給湯に関する情報信号は給湯器制御回路１０３を通じてＣＰＵ部１０１に取り込まれ、更に通信インターフェース部１０９を通じて制御データとしてインターホン装置６ｂ’へ送られるようになっている。ここに、給湯器制御回路１０３とＣＰＵ部１０１とで給湯に関する情報信号を出力する給湯信号出力部が構成される。
【００６２】
また、本実施形態においても実施形態１と同様に宅内の浴室ＢＲ以外の場所に設置された主親機３又は副親機５側で湯はり完了の表示ができるようなっている。すなわち、給湯器８での給湯状況を示す湯はり関連の情報信号は給湯リモコン装置６ｃの給湯器制御回路１０３を介してＣＰＵ部１０１に取り込まれ、ＣＰＵ部１０１はこの信号に基づいて湯はり状況を示す制御データを通信インターフェース部１０９を介してインターホン装置６ｂ’へ送出する。この制御データは通信インターフェース部８１を通じて給湯情報出力手段としてのＣＰＵ部７４に取り込まれ、ＣＰＵ部７４はこの制御データに基づいた制御コマンドを生成し、制御コマンドＩ／Ｆ回路７９を通じて信号線４上に送出する。この制御コマンドは主親機３の制御コマンドＩ／Ｆ回路４３を通じてＣＰＵ部３０に取り込まれる。主親機３のＣＰＵ部３０は制御コマンドを解読して、その内容に基づいて、例えば湯はり５分前や完了を示すピクトサインの画像データをグラフィックス生成回路３９で生成させ、その画像データによる映像信号をＦＭ変調してて信号線４上に送出する。
【００６３】
そして、主親機３では表示装置３７で、また副親機５では表示装置６０においてこれら湯はり状況をピクトサインで表示する。これにより、宅内の浴室以外の場所において家人が湯はり状況などの給湯情報を確認することができることになる。尚、この湯はり状況を音声で報知するようにしても勿論良い。
【００６４】
【発明の効果】
請求項１の発明は、上述のように、宅外に設置されたインターホン子機と、宅内に設置されたインターホン親機とで構成されるインターホンシステムであって、給湯装置の動作を監視して給湯に関する情報信号を出力する給湯信号出力部と、前記インターホン親機や前記インターホン子機との間で通話路が確立されたときに通話を可能とする通話手段、及び、給湯信号出力部から出力された情報信号を受け取り、該情報信号をインターホン親機に送信する給湯情報出力手段を少なくとも備え、浴室内に設置されるインターホン装置とを設けたことを特徴とし、給湯信号出力部が給湯装置の給湯に関する情報信号を出力すると、この情報信号をインターホン装置の給湯情報出力手段が受け取って、インターホン親機に出力しているので、インターホン親機側で給湯に関する情報信号を表示することができ、宅内の浴室以外の場所で給湯装置の給湯状況を確認できるという効果がある。
【図面の簡単な説明】
【図１】本発明の実施形態１の全体構成図である。
【図２】同上のインターホンシステムに用いる主親機の回路構成図である。
【図３】同上のインターホンシステムに用いる副親機の回路構成図である。
【図４】同上の主要部の回路構成図である。
【図５】同上の正面図である。
【図６】（ａ）〜（ｇ）は同上のピクトサイン例図である。
【図７】同上のインターホンシステムの主親機で表示される給湯器のオン／オフ操作の操作画面例図である。
【図８】実施形態２のインターホンシステムに用いるインターホン装置及び給湯リモコン装置の回路構成図である。
【図９】同上に用いるインターホン装置の正面図である。
【図１０】同上の全体構成図である。
【符号の説明】
１  インターホン子機
３  主親機
５  副親機
６  テレビ付きインターホン
６ａ  テレビ装置
６ｂ  インターホン装置
８    給湯器
３７，６０  表示装置
【図１】
2004221626.tif 000003
【図２】
2004221626.tif 000004
【図３】
2004221626.tif 000005
【図４】
2004221626.tif 000006
【図５】
2004221626.tif 000007
【図６】
2004221626.tif 000008
【図７】
2004221626.tif 000009
【図８】
2004221626.tif 000010
【図９】
2004221626.tif 000011
【図１０】
2004221626.tif 000012